(57)【要約】      （修正有）【課題】複数の配信方法で提供されるコンテンツを、受信装置が現在状況に適した方法で容易に取得できる配信システム、配信方法及び配信プログラムを提供する。【解決手段】配信状況管理装置１０は、配信装置２０から、コンテンツを配信する複数の方法を受信し、データベースに登録する配信状況格納部１２と、要求に応じて登録された複数の方法を抽出し、受信装置３０に提供する配信方法提供部１３と、を備える。受信装置３０は、コンテンツを指定し、当該コンテンツが配信される複数の方法を配信状況管理装置１０から取得する配信方法取得部と、取得された複数の方法の中から、所定の判定基準に基づいて配信装置２０からコンテンツを受信する方法を決定する取得方法決定部と、を備える。【選択図】図２
2016149624.tif 000002
【特許請求の範囲】
【請求項１】
配信状況管理装置を有し、配信装置から受信装置へコンテンツを配信する配信システムであって、
前記配信状況管理装置は、
前記配信装置から、前記コンテンツを配信する複数の方法を受信し、データベースに登録する登録部と、
要求に応じて前記登録された複数の方法を抽出し、前記受信装置に提供する提供部と、を備え、
前記受信装置は、
前記コンテンツを指定し、当該コンテンツが配信される前記複数の方法を前記配信状況管理装置から取得する取得部と、
前記取得された複数の方法の中から、所定の判定基準に基づいて前記配信装置から前記コンテンツを受信する方法を決定する決定部と、を備える配信システム。
【請求項２】
前記決定部は、前記受信装置の機能情報に基づいて、前記コンテンツを受信する方法を決定する請求項１に記載の配信システム。
【請求項３】
前記決定部は、前記受信装置の電波・通信環境情報に基づいて評価される受信品質に基づいて、前記コンテンツを受信する方法を決定する請求項１又は請求項２に記載の配信システム。
【請求項４】
前記決定部は、設定された優先順位情報に基づいて、前記コンテンツを受信する方法を決定する請求項１から請求項３のいずれかに記載の配信システム。
【請求項５】
配信状況管理装置が配信装置から、コンテンツを配信する複数の方法を受信し、データベースに登録する登録ステップと、
受信装置が前記コンテンツを指定し、当該コンテンツが配信される前記複数の方法を前記配信状況管理装置から取得する取得ステップと、
前記受信装置が前記取得された複数の方法の中から、所定の判定基準に基づいて前記配信装置から前記コンテンツを受信する方法を決定する決定ステップと、を実行する配信方法。
【請求項６】
配信状況管理装置が配信装置から、コンテンツを配信する複数の方法を受信し、データベースに登録する登録ステップと、
受信装置が前記コンテンツを指定し、当該コンテンツが配信される前記複数の方法を前記配信状況管理装置から取得する取得ステップと、
前記受信装置が前記取得された複数の方法の中から、所定の判定基準に基づいて前記配信装置から前記コンテンツを受信する方法を決定する決定ステップと、を実行させるための配信プログラム。
【発明の詳細な説明】
【技術分野】
【０００１】
本発明は、コンテンツを配信するためのシステム、方法及びプログラムに関する。
【背景技術】
【０００２】
従来、ユーザへコンテンツを配信する方法として、放送及び通信において複数の方式が用いられている。ＴＶ−Ａｎｙｔｉｍｅ（例えば、非特許文献１参照）では、コンテンツ配信において放送と通信とを連携する方式が提供された。この方式では、コンテンツを一意に特定するためのＣＲＩＤ（Ｃｏｎｔｅｎｔ  Ｒｅｆｅｒｅｎｃｅ  ＩＤ）というコンテンツ識別子を用いており、ＣＲＩＤ毎にコンテンツの取得方法は１つに定められている。
【先行技術文献】
【非特許文献】
【０００３】
【非特許文献１】ＴＶ  Ａｎｙｔｉｍｅの基本サービス（サーチ＆ナビゲーション）、インターネット＜ｈｔｔｐ：／／ｗｗｗ．ｊｐｏ．ｇｏ．ｊｐ／ｓｈｉｒｙｏｕ／ｓ＿ｓｏｎｏｔａ／ｈｙｏｕｊｕｎ＿ｇｉｊｕｔｓｕ／ｂｉｄｉｒｅｃｔｉｏｎａｌ＿ｖｉｄｅｏ／１１１＿０８．ｈｔｍ＞
【発明の概要】
【発明が解決しようとする課題】
【０００４】
ユーザは、コンテンツを利用する際、放送波又は通信ネットワーク等の様々な配信方法のうち、所望のコンテンツがどの方法で配信されるのかを予め把握した上で、この配信方法に適したデバイス及びアプリケーションをユーザ自身が選択しなければならなかった。
また、コンテンツの配信者は、配信方法それぞれに対応して、コンテンツにアクセスするためのインタフェースを提供し、ユーザは、これらのインタフェースそれぞれに対してアクセスする操作を切り替えてコンテンツを利用しなければならなかった。
【０００５】
本発明は、複数の配信方法で提供されるコンテンツを、受信装置が現在状況に適した方法で容易に取得できる配信システム、配信方法及び配信プログラムを提供することを目的とする。
【課題を解決するための手段】
【０００６】
本発明に係る配信システムは、配信状況管理装置を有し、配信装置から受信装置へコンテンツを配信する配信システムであって、前記配信状況管理装置は、前記配信装置から、前記コンテンツを配信する複数の方法を受信し、データベースに登録する登録部と、要求に応じて前記登録された複数の方法を抽出し、前記受信装置に提供する提供部と、を備え、前記受信装置は、前記コンテンツを指定し、当該コンテンツが配信される前記複数の方法を前記配信状況管理装置から取得する取得部と、前記取得された複数の方法の中から、所定の判定基準に基づいて前記配信装置から前記コンテンツを受信する方法を決定する決定部と、を備える。
【０００７】
この構成によれば、配信システムは、複数の配信方法を配信状況管理装置において一元管理し、要求に応じて受信装置へ提供する。受信装置は、複数の配信方法の中から所定の判断基準に基づいて取得方法を決定するので、配信者及びユーザの双方において、配信方法に依存する手続きが自動化される。この結果、複数の配信方法で提供されるコンテンツを、受信装置が現在状況に適した方法で容易に取得でき、ユーザは、配信方法の種類によらず、同一の操作でコンテンツを取得できる。
【０００８】
前記決定部は、前記受信装置の機能情報に基づいて、前記コンテンツを受信する方法を決定してもよい。
【０００９】
この構成によれば、配信システムは、受信装置の端末機能情報に基づいて、コンテンツの取得方法を決定するので、受信装置の現在の状況をより詳細に把握し、適した配信方法を決定できる。
【００１０】
前記決定部は、前記受信装置の電波・通信環境情報に基づいて評価される受信品質に基づいて、前記コンテンツを受信する方法を決定してもよい。
【００１１】
この構成によれば、配信システムは、受信装置の電波・通信環境情報に基づいて、コンテンツの取得方法を決定するので、受信装置の現在の状況をより詳細に把握し、適した配信方法を決定できる。
【００１２】
前記決定部は、設定された優先順位情報に基づいて、前記コンテンツを受信する方法を決定してもよい。
【００１３】
この構成によれば、配信システムは、設定された優先順位情報に基づいて、コンテンツの取得方法を決定するので、受信装置の現在の状況をより詳細に把握し、適した配信方法を決定できる。
【００１４】
本発明に係る配信方法は、前記配信状況管理装置が配信装置から、コンテンツを配信する複数の方法を受信し、データベースに登録する登録ステップと、前記受信装置が前記コンテンツを指定し、当該コンテンツが配信される前記複数の方法を前記配信状況管理装置から取得する取得ステップと、前記受信装置が前記取得された複数の方法の中から、所定の判定基準に基づいて前記配信装置から前記コンテンツを受信する方法を決定する決定ステップと、を実行する。
【００１５】
本発明に係る配信プログラムは、前記配信状況管理装置が配信装置から、コンテンツを配信する複数の方法を受信し、データベースに登録する登録ステップと、前記受信装置が前記コンテンツを指定し、当該コンテンツが配信される前記複数の方法を前記配信状況管理装置から取得する取得ステップと、前記受信装置が前記取得された複数の方法の中から、所定の判定基準に基づいて前記配信装置から前記コンテンツを受信する方法を決定する決定ステップと、を実行させる。
【発明の効果】
【００１６】
本発明によれば、複数の配信方法で提供されるコンテンツを、受信装置が現在状況に適した方法で容易に取得できる。
【図面の簡単な説明】
【００１７】
【図１】実施形態に係る配信システムの構成を示す図である。
【図２】実施形態に係る配信状況管理装置の機能構成を示す図である。
【図３】実施形態に係る配信方法リストの一例を示す図である。
【図４】実施形態に係る配信装置の機能構成を示す図である。
【図５】実施形態に係る受信装置の機能構成を示す図である。
【図６】実施形態に係る配信システムにおける処理の流れを示すシーケンス図である。
【図７】実施形態に係るコンテンツの取得方法を決定して受信する処理の第１の例を示す図である。
【図８】実施形態に係るコンテンツの取得方法を決定して受信する処理の第２の例を示す図である。
【図９】実施形態に係るコンテンツの取得方法を決定して受信する処理の第３の例を示す図である。
【発明を実施するための形態】
【００１８】
以下、本発明の実施形態の一例について説明する。
図１は、本実施形態に係る配信システム１の構成を示す図である。
【００１９】
配信システム１は、コンテンツの配信状況を管理する配信状況管理装置１０と、コンテンツを配信する配信装置２０と、コンテンツを受信してユーザに提示する受信装置３０とを備える。
配信システム１は、配信装置２０からコンテンツが放送波や通信ネットワーク等の複数の方法で配信されている際に、配信状況管理装置１０においてこれらの配信方法を一元管理する。ユーザからコンテンツの要求を受けた受信装置３０は、配信状況管理装置１０からコンテンツ毎の複数の配信方法を取得し、所定の判定基準に基づいて配信装置２０からの取得方法を選択する。
【００２０】
図２は、本実施形態に係る配信状況管理装置１０の機能構成を示す図である。
配信状況管理装置１０は、配信方法入力部１１と、配信状況格納部１２（登録部）と、配信方法提供部１３（提供部）とを備える。
【００２１】
配信方法入力部１１は、配信装置２０からコンテンツを配信する配信方法の登録入力を受け付ける。
配信状況格納部１２は、配信方法入力部１１によって配信装置２０から受信した、コンテンツを配信するための１又は複数の方法を、データベースに登録する。
配信方法提供部１３は、受信装置３０からの要求に応じて、配信状況格納部１２によって登録された複数の方法を抽出し、配信方法リストとして受信装置３０に提供する。
【００２２】
配信状況管理装置１０は、これらの各機能部の組み合わせにより、配信方法リストを管理し、受信装置３０からの要求に応じて、指定されたコンテンツに対する配信方法リストを提供する。
【００２３】
図３は、本実施形態に係る配信方法リストの一例を示す図である。
この例では、コンテンツ「Ａ００１」は、４種類の配信方法が登録されており、地上波デジタル（フルセグ）、地上波デジタル（ワンセグ）及びＢＳデジタルの各放送波の所定のチャンネルで放送され、所定のＵＲＬにおいてＩＰライブストリーミングで配信されている。
【００２４】
図４は、本実施形態に係る配信装置２０の機能構成を示す図である。
配信装置２０は、配信条件入力部２１と、配信方法決定部２２と、配信方法登録部２３と、コンテンツ格納部２４と、配信制御部２５と、放送配信部２６と、通信配信部２７とを備える。
【００２５】
配信条件入力部２１は、コンテンツ制作者又は権利保持者等による配信条件の入力を受け付ける。
配信方法決定部２２は、入力された配信条件に基づいて、コンテンツを配信するための１又は複数の方法を決定する。
配信方法登録部２３は、配信方法決定部２２により決定された配信方法を、配信状況管理装置１０に登録する。
【００２６】
コンテンツ格納部２４は、配信するコンテンツを受信して格納する。
配信制御部２５は、放送配信部２６又は通信配信部２７を制御し、格納されているコンテンツを、配信方法決定部２２により決定された方法によって受信装置３０へ配信させる。
放送配信部２６は、放送波によってコンテンツを配信する。
通信配信部２７は、通信ネットワークによって受信装置３０にコンテンツを配信する。
【００２７】
配信装置２０は、これらの各機能部の組み合わせにより、自身が配信するコンテンツについて、配信条件に基づく複数の配信方法を決定し、配信状況管理装置１０に配信方法リストとして登録する。配信装置２０は、配信方法を更新する場合、この配信方法リストの登録も合わせて更新する。
【００２８】
図５は、本実施形態に係る受信装置３０の機能構成を示す図である。
受信装置３０は、要求受信部３１と、配信方法取得部３２と、端末情報取得部３３と、ユーザ情報取得部３４と、取得方法決定部３５と、取得制御部３６と、放送受信部３７と、通信受信部３８と、コンテンツ提示部３９とを備える。
【００２９】
要求受信部３１は、ユーザからコンテンツを利用するための要求を受信する。
配信方法取得部３２は、受信した要求で指定されたコンテンツが配信装置２０から配信される１又は複数の方法を配信状況管理装置１０から取得する。
【００３０】
端末情報取得部３３は、受信装置３０が有している機能に関する端末情報を取得する。
端末情報は、コンテンツを受信するための、いずれの取得方法に対応しているかを識別する機能情報を含む。また、端末情報は、送受信レート、又はコンテンツを提示するためのディスプレイのサイズ及び解像度等の仕様情報を含んでもよい。さらに、端末情報は、放送又は無線通信の電波状況、有線通信の品質、加速度情報に基づく移動手段の識別情報、位置情報に基づく通信エリアの情報等、ユーザが使用する受信装置３０の電波・通信環境情報を含んでもよい。
【００３１】
ユーザ情報取得部３４は、受信装置３０を利用するユーザに関するユーザ情報を取得する。
ユーザ情報は、例えば、ユーザ自身が設定する、又は予め設定されている優先順位情報を含んでもよい。優先順位情報とは、配信方法を順位付けした情報であってよく、例えば、遅延等の少ない安定性、又は解像度若しくはフレームレートの高さ等によって順位付けられる。
【００３２】
取得方法決定部３５は、配信方法取得部３２により取得された複数の方法の中から、上述の端末情報及びユーザ情報等に関する所定の判定基準に基づいて配信装置２０からコンテンツを受信する方法を決定する。
【００３３】
取得制御部３６は、取得方法決定部３５により決定された取得方法に応じて、放送受信部３７又は通信受信部３８を制御し、配信装置２０から配信されるコンテンツにアクセスさせる。
【００３４】
放送受信部３７は、配信装置２０から放送波によって配信されるコンテンツを受信する。
通信受信部３８は、通信ネットワークによって配信装置２０から配信されたコンテンツを受信する。
【００３５】
コンテンツ提示部３９は、ディスプレイ又はスピーカ等を制御して、画像又は音声等を出力することにより、ユーザにコンテンツを提示する。
【００３６】
受信装置３０は、これらの各機能部の組み合わせにより、ユーザから要求されたコンテンツに対する配信方法リストを配信状況管理装置１０から取得し、ユーザ情報及び端末情報に基づいて決定した受信方法でコンテンツを受信してユーザに提示する。
【００３７】
図６は、本実施形態に係る配信システム１における処理の流れを示すシーケンス図である。
ここでは、受信装置３０における映像コンテンツのライブ視聴を例に説明する。
【００３８】
ステップＳ１において、配信装置２０は、コンテンツそれぞれの配信方法を配信状況管理装置１０へ通知する。
【００３９】
ステップＳ２において、配信状況管理装置１０は、コンテンツ毎の配信方法を配信方法リストとして登録する。
【００４０】
ステップＳ３において、ユーザは、受信装置３０に対して所定の操作入力を行い、コンテンツの識別子を指定した上で、このコンテンツの再生を要求する。
【００４１】
ステップＳ４において、受信装置３０は、ユーザから指定されたコンテンツに関する配信方法リストを配信状況管理装置１０へ要求する。
【００４２】
ステップＳ５において、配信状況管理装置１０は、ステップＳ４の要求に応答して、コンテンツの配信方法リストを受信装置３０へ提供する。
【００４３】
ステップＳ６において、受信装置３０は、ユーザ情報及び端末情報を取得した上で、配信方法リストに含まれる複数の配信方法の中から、取得方法を決定する。
【００４４】
ステップＳ７において、受信装置３０は、放送でない通信ネットワークを介した配信方法が決定された場合に、ＵＲＬを指定する等の手順により必要に応じて配信装置２０へコンテンツの配信要求を行う。
【００４５】
ステップＳ８において、受信装置３０は、配信装置２０から配信されたコンテンツを、決定した取得方法によって受信する。
【００４６】
ステップＳ９において、受信装置３０は、受信したコンテンツをディスプレイ及びスピーカ等に提示する。これにより、ユーザは、要求したコンテンツを視聴する。
【００４７】
図７は、本実施形態に係る受信装置３０においてコンテンツの取得方法を決定して受信する処理の第１の例を示す図である。
配信装置２０は、コンテンツを、フルセグ放送、ワンセグ放送、及び通信ネットワーク経由でネット配信している。この場合、配信方法リスト（Ａ）には、例えば「フルセグ、１０８０ｉ、２９．９７ｆｐｓ」、「ワンセグ、１８０ｐ、１５ｆｐｓ」及び「ネット、７２０ｉ、２９．９７ｆｐｓ」というレコードが記録される。
【００４８】
この例では、受信装置３０はテレビであり、端末情報（Ｂ１）としてフルセグ放送の受信、及びネット配信の受信が可能であることが取得される。
【００４９】
受信装置３０の取得方法決定部３５は、配信方法リスト（Ａ）のうち、フルセグ放送及びネット配信を受信可能であるが、解像度のより高いフルセグ放送（１０８０ｉ＞７２０ｉ）からの取得を選択する（Ｃ１）。
受信装置３０は、配信装置２０からフルセグ放送されているコンテンツを取得して提示する。
【００５０】
図８は、本実施形態に係る受信装置３０においてコンテンツの取得方法を決定して受信する処理の第２の例を示す図である。
配信装置２０は、第１の例と同様に、コンテンツを、フルセグ放送、ワンセグ放送、及び通信ネットワーク経由でネット配信している。
【００５１】
この例では、受信装置３０はタブレット端末であり、端末情報（Ｂ２）としてワンセグ放送の受信、及びネット配信（ＷｉＦｉ）の受信が可能であることが取得される。
【００５２】
受信装置３０の取得方法決定部３５は、配信方法リスト（Ａ）のうち、ワンセグ放送及びネット配信を受信可能であるが、解像度のより高いネット配信（７２０ｉ＞１８０ｐ）からの取得を選択する（Ｃ２）。
受信装置３０は、所定のＵＲＬへアクセスして配信装置２０からネット配信されているコンテンツを取得して提示する。
【００５３】
図９は、本実施形態に係る受信装置３０においてコンテンツの取得方法を決定して受信する処理の第３の例を示す図である。
配信装置２０は、第１及び第２の例と同様に、コンテンツを、フルセグ放送、ワンセグ放送、及び通信ネットワーク経由でネット配信している。
【００５４】
この例では、受信装置３０はスマートフォンであり、端末情報（Ｂ３）としてワンセグ放送の受信、及びネット配信（携帯網）の受信が可能であることが取得される。
【００５５】
受信装置３０の取得方法決定部３５は、配信方法リスト（Ａ）のうち、ワンセグ放送及びネット配信を受信可能であるが、通信品質がより安定しているワンセグ放送からの取得を選択する（Ｃ３）。
受信装置３０は、配信装置２０からワンセグ放送されているコンテンツを取得して提示する。
【００５６】
受信装置３０の取得方法決定部３５は、上述の第１〜第３の例の他、種々の判定基準に従って、コンテンツの取得方法を決定できる。
例えば、荒天時にはＢＳ等の放送よりもネット配信を、放送エリア又は無線通信エリアの外縁付近に位置していれば別の放送又は通信を、電車等で移動中は通信よりも放送を選択する等、取得方法決定部３５は、より安定した取得方法を決定できる。
また、例えば、受信装置３０が有するディスプレイの解像度や受信レートによっては、必要以上に高精細な配信方法よりも通信レートを抑え、効率的な安定した受信方法が選択されてもよい。
さらに、例えば、通信ネットワークの種類（ＷｉＦｉ、携帯網等）によって、課金額に差がある場合、よりコストの低い通信が選択されてよい。
【００５７】
本実施形態によれば、配信システム１は、複数の配信方法を配信状況管理装置１０において一元管理し、要求に応じて受信装置３０へ配信方法リストを提供する。受信装置３０は、配信方法リストの中から所定の判断基準に基づいて取得方法を決定するので、配信者及びユーザの双方において、配信方法に依存する手続きが自動化される。この結果、複数の配信方法で提供されるコンテンツを、受信装置が現在状況に適した方法で容易に取得でき、ユーザは、配信方法の種類によらず、同一の操作でコンテンツを取得できる。
【００５８】
また、配信システム１は、受信装置３０の端末機能情報、電波・通信環境情報又は設定された優先順位情報に基づいて、コンテンツの取得方法を決定する。したがって、配信システム１は、受信装置３０の現在の状況をより詳細に把握し、適した配信方法を決定できる。
【００５９】
さらに、ユーザは、コンテンツへのアクセスにおける利便性の向上に加えて、従来は利用できることに気付きにくかったコンテンツの存在を容易に認識して利用できる。また、コンテンツの配信者側では、提供インタフェースが統一されることによる効率化と共に、ユーザによるコンテンツ利用の促進や新たなユーザ層の獲得等が期待できる。
【００６０】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００６１】
本実施形態の配信状況管理装置１０の各機能は、複数の装置に分散されてもよいし、配信装置２０と統合されてもよい。
【００６２】
本実施形態では、ライブ配信される動画コンテンツを例示したが、コンテンツの種類はこれには限られない。配信システム１の構成は、ＶＯＤコンテンツ、音楽、ゲーム、書籍、アプリケーション等、様々なコンテンツの配信サービスに適用できる。
また、配信方法も特定の形態に限定されず、有線又は無線を問わず様々な経路での配信方法が対象となり得る。
【００６３】
本実施形態では、主に配信システムの構成と動作について説明したが、本発明はこれに限られず、各構成要素を備え、コンテンツを配信するための方法、又はプログラムとして構成されてもよい。
【００６４】
さらに、配信システムの機能を実現するためのプログラムをコンピュータで読み取り可能な記録媒体に記録して、この記録媒体に記録されたプログラムをコンピュータシステムに読み込ませ、実行することによって実現してもよい。
【００６５】
ここでいう「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００６６】
さらに「コンピュータで読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【符号の説明】
【００６７】
１  配信システム
１０  配信状況管理装置
１１  配信方法入力部
１２  配信状況格納部（登録部）
１３  配信方法提供部（提供部）
２０  配信装置
３０  受信装置
３１  要求受信部
３２  配信方法取得部（取得部）
３３  端末情報取得部
３４  ユーザ情報取得部
３５  取得方法決定部（決定部）
３６  取得制御部
３７  放送受信部
３８  通信受信部
３９  コンテンツ提示部
【図１】
2016149624.tif 000003
【図２】
2016149624.tif 000004
【図３】
2016149624.tif 000005
【図４】
2016149624.tif 000006
【図５】
2016149624.tif 000007
【図６】
2016149624.tif 000008
【図７】
2016149624.tif 000009
【図８】
2016149624.tif 000010
【図９】
2016149624.tif 000011